(57)【特許請求の範囲】
【請求項１】
要求に応じてパワーリザーブを指示出来るように構成されたパワーリザーブ指示装置を具える手巻きまたは自動巻きの機械式時計のムーブメントであって、
前記パワーリザーブ指示装置は作動されるとパワーリザーブの大きさを指示する音響信号を発生する手段を具えることを特徴とする手巻きまたは自動巻きの機械式時計のムーブメントであって、
前記手段は、ゴング（１０）をパワーリザーブに相当する回数打つハンマー（８）を具え、
パワーリザーブのスネイル（１６）に衝突するように構成されるパワーリザーブのフィーラースピンドル（１５）を更に具え、該フィーラースピンドル（１５）の変位の大きさは、該フィーラースピンドル（１５）が前記スネイル（１６）に衝突するために作動される時点におけるパワーリザーブに関連し、
前記フィーラースピンドル（１５）の移動の結果変位するように構成されるラック（３）をさらに具え、該ラック（３）は打撃機構のバレル（６）のシャフト（５）に取り付けられるラックピニオン（４）に衝突し、あるいは衝突可能であり、前記手段はさらに打撃機構のバレル（６）上に配設される打撃機構のラチェット（７）を具え、該ラチェット（７）は各々が前記ゴング（１０）に対してハンマー（８）を作動させることが出来る複数の歯を有することを特徴とする機械式時計のムーブメント。
【請求項２】
前記スネイル（１６）は、時計のムーブメントのバレル（２０）とラチェット（２１）を有する差動歯車列（１９）に係合するホイール（１８）により回転することを特徴とする請求項１に記載の機械式時計のムーブメント。
【請求項３】
前記手段は、操作部（２）を有するバランス（１）を具え、該バランス（１）は、前記操作部（２）が操作された場合、前記パワーリザーブの大きさに関連する角度で旋回するよう構成されることを特徴とする請求項1乃至請求項２の何れか１項に記載の機械式時計のムーブメント。
【請求項４】
請求項1乃至請求項３の何れか１項に記載のムーブメントを具える腕時計。
【請求項５】
前記バランス（１）の操作部（２）は時計ケースの外側に配設され、該時計ケースに沿った円弧部分に亘って変位可能であることを特徴とする請求項３に記載の腕時計。
【発明の詳細な説明】
【技術分野】
【０００１】
本願発明は時計の製造分野に関し、特に手巻きまたは自動巻きの機械式腕時計のパワーリザーブ（巻き上げたゼンマイの残りの稼働量・稼働時間）を指示するための、時計のパワーリザーブ指示装置に関する。
【背景技術】
【０００２】
従来の技術には、既に手巻きまたは自動巻きの機械式腕時計のパワーリザーブを表示する装置が数多く存在する。通常、これらの装置はパワーリザーブを常に続けて表示する。この目的のため、パワーリザーブ指示装置の本体は、腕時計におけるムーブメントのバレルとラチェットを具える差動歯車列に連結するホイールに取り付けられる。
【０００３】
機能の選択を任意の所望する時に表示することが出来る機構も既に存在する。例えば、欧州公報EP1922591は、選択した指示を窓に表示することが出来る腕時計の機構を提案している。この指示は、特に、日、週、年、およびパワーリザーブの中から選択される。
【発明の概要】
【発明が解決しようとする課題】
【０００４】
本発明の目的は、従来とは異なる創造的なパワーリザーブを指示する方法を提供することである。
【０００５】
本発明によれば、上記目的はパワーリザーブを要求に応じて指示することの出来るように構成されたパワーリザーブ指示装置を具える手巻きまたは自動巻きの機械式時計のムーブメントにより達成される。この装置は作動されるとパワーリザーブの量を指示する音響信号を発生する手段を有する。
【０００６】
本発明の特徴は、以下の単に一例として示す実施例の詳細な説明と添付図面とにより、一層明確となるであろう。
【図面の簡単な説明】
【０００７】
【図１】本願発明に係るパワーリザーブ指示装置の平面図。
【図２】本願発明に係るパワーリザーブ指示装置の底面図。
【発明を実施するための形態】
【０００８】
本願発明の一実施例によれば、図１に示す腕時計のムーブメントは作動時にピン（図示せず）を中心に回動するバランス１を具える。バランス１はアーム２を有し、このアーム２は、ムーブメントが腕時計に組み込まれた状態では、ケースの中央部から外部に出て、最大角度２５度でケースの縁部を摺動するロック（図示せず）に取り付けられる。
【０００９】
バランス１はその外形の一部にラック３を有し、このラック３は、その各端部がシャフト５とリングバレル６のドラムスリーブとに各々結合する螺旋ばね（図示せず）を有するリングバレル６のシャフト５の角状部分に取り付けられるラックピニオン４に係合する。
【００１０】
後者（リングバレル６）は、その上縁部におけるシャフト５に取り付けられる打撃機構のラチェット７を特徴とする。ラチェット７は複数の歯を有し、各歯は、ハンマー８がゴング１０を打つように、上昇部材９を持ち上げてハンマー８を作動させるように配列される。
【００１１】
図２に示すように、リングホイール１１が、リングバレル６が安全化すると回転しないような方法で、リングバレル６のシャフト５に取り付けられる。このために、リングホイール１１は中空に形成され、その内周面には２つの唇付き歯止め１２と協働するウォルフ歯（Wolf's tooth）を有する。
【００１２】
リングホイール１１は、更に遠心型の調速機１４に係合するマルチプライアー歯車列１３に連結して、ハンマー８がゴング１０を打つ時間間隔を長くするためにリングバレル６の安全化速度を低下させる。
【００１３】
図１に示すように、バランス１は、更にスネイル１６に衝突するように配設されるフィーラースピンドル１５を有する。スネイル１６はスター１７に取り付けられ、スター１７は、腕時計のムーブメントのバレル２０に係合する差動歯車列１９に連動し、ラチェット２１に運動学的に連結するホイール１８によって駆動される。
【００１４】
スター１７は、１２個の歯を具えてスネイル１６と連動し、ジャンパー２２は、スネイル１６を所望の位置に常に位置決めするためにスター１７の歯に作用する。更にホイール１８によるスネイル１６の駆動は、スター１７が歯を飛び越える時に機構を損傷しないよう、あるいは機構が機能しないように行われる。
【００１５】
ロック（図示せず）が作動して、本発明のムーブメントが組み込まれる腕時計のケースの縁部を摺動すると、フィーラースピンドル１５はパワーリザーブのスネイル１６に衝突するよう構成されているので、ラック３の進行はパワーリザーブに対応する。リングバレル６内のエネルギーを蓄積し、打撃機構のラチェット７の位置決めをして、パワーリザーブに相当する数の歯を、上昇部材９から上方へ位置させるために、ラック３はラックピニオン４を回転させる。
【００１６】
バランス1の係止を開放すると、リングバレル６はその軸を介してリングホイール１１を駆動し、その回転速度は調速機１４（図２）によって調節される。上昇部材９が次にゴング１０をハンマー８がパワーリザーブに相当する回数打つよう、上昇部材９をその歯の各々に亘って作動させるために、リングバレル６のシャフトに取り付けられる打撃機構のラチェット７が回転駆動される。
【００１７】
本発明の実施例によれば、上述した装置を組み込んだムーブメントは、１０８時間のパワーリザーブを有する。この歯車列のギア比は、バレル２０が自己を巻き戻して１０回転するとホイール１８が３６０度、すなわち１回転するように決められる。したがって、スター１７は１０８時間で１２ステップ駆動し、その結果９時間毎に１ステップ駆動することとなる。
【００１８】
この構成において、パワーリザーブ指示装置の稼働時およびパワーリザーブが９９時間から１０８時間の場合、ハンマー８はゴング１０を１２回打ち、９０時間から９９時間の場合は１１回、８１時間から９０時間の場合は１０回打つ等、順次減少して行き、パワーリザーブ指示装置がゴングを１回打つと、パワーリザーブが０時間から９時間を指示することとなる。
【００１９】
パワーリザーブ指示装置の稼働時にハンマーがゴングを打つ回数を、上述の構成とは異ならせること可能であることが理解されよう。例えば、別の実施例によれば、パワーリザーブ指示装置は、パワーリザーブが残存する場合はハンマーがゴングを１日につき１回打つようにする。
【図１】
0005945830.tif 000002
【図２】
0005945830.tif 000003